(57)【要約】【課題】施療部位に応じた押圧力でマッサージを行うことができるマッサージ装置を提供すること。【解決手段】マッサージ装置１は、装置本体２に移動可能に取り付けられたベース板１５，１６と、ベース板１５，１６を駆動して移動させるモータ１２と、ベース板１５，１６に取り付けられたエアバッグ２３，２４と、エアバッグ２３，２４に設けられた揉み部材２１，２２と、エアバッグ２３，２４に対してエアを給排気するエア給排気装置２５、モータ１２及びエア給排気装置２５を作動制御する制御装置３２を備えている。また、制御装置３２は、モータ１２を作動制御してベース板１５，１６を移動させると共にエア給排気手段２５を作動制御してエアバッグ２３，２４にエアを供給して膨張させることにより、揉み部材２１，２２を使用者の複数のマッサージ部位（肩や首）のいずれかに押し付けて、マッサージを行わせるようにしている。しかも、制御装置３２は、揉み部材２３，２４を押し付けるマッサージ部位によって、エアバッ２３，２４グへのエアの給気時間を変更制御するようになっている。【選択図】  図１４
2004216049.tif 000002
【特許請求の範囲】
【請求項１】
装置本体に移動可能に取り付けられたベースと、前記ベースを駆動して移動させる駆動手段と、前記ベースに取り付けられたエアバッグと、前記エアバッグに設けられた施療子と、前記エアバッグに対してエアを給排気するエア給排気装置と、前記駆動手段及びエア給排気装置を作動制御する制御手段を備え、
前記制御手段は、前記駆動手段を作動制御して前記ベースを移動させると共に前記エア給排気手段を作動制御して前記エアバッグにエアを供給して膨張させることにより、前記施療子を使用者の複数のマッサージ部位のいずれかに押し付けて、マッサージを行わせるようにしたマッサージ装置であって、
前記制御手段は、前記施療子を押し付けるマッサージ部位によって、前記エアバッグへのエアの給気時間を変更制御することを特徴とするマッサージ装置。
【発明の詳細な説明】
【０００１】
【発明の属する技術分野】
この発明は、移動させられる施療子により使用者の複数のマッサージ部位をマッサージ可能に設けたマッサージ装置に関するものである。
【０００２】
【従来の技術】
従来から、背もたれ部に複数のエアバックを配置した椅子式マッサージ装置や上下に移動可能なローラを背もたれ部に設けた椅子式マッサージ装置等が知られている。（例えば特許文献１参照）
【０００３】
このエアバッグ式の椅子式マッサージ装置はエアバックを膨張・収縮させることによってマッサージを行っていくものであり、ローラ式の椅子式マッサージ装置はそのローラを背中に沿って上下動させることによってマッサージを行っていくものである。
【０００４】
【特許文献１】
特開２００２−２０９９６２号公報
【０００５】
【発明が解決しようとする課題】
しかしながら、従来の椅子式マッサージ装置では、施療部位に応じて押圧力を調節していなかったため、最適なマッサージを行うことができないものであった。
【０００６】
そこで、この発明は、施療部位に応じた押圧力でマッサージを行うことができるマッサージ装置を提供することを目的とするものである。
【０００７】
【課題を解決するための手段】
この目的を達成するため、この発明のマッサージ装置は、装置本体に移動可能に取り付けられたベースと、前記ベースを駆動して移動させる駆動手段と、前記ベースに取り付けられたエアバッグと、前記エアバッグに設けられた施療子と、前記エアバッグに対してエアを給排気するエア給排気装置と、前記駆動手段及びエア給排気装置を作動制御する制御手段を備えている。また、この制御手段は、前記駆動手段を作動制御して前記ベースを移動させると共に前記エア給排気手段を作動制御して前記エアバッグにエアを供給して膨張させることにより、前記施療子を使用者の複数のマッサージ部位のいずれかに押し付けて、マッサージを行わせるようにしている。しかも、このマッサージ装置の前記制御手段は、前記施療子を押し付けるマッサージ部位によって、前記エアバッグへのエアの給気時間を変更制御することを特徴とする。
【０００８】
【発明の実施の形態】
以下、この発明の実施の形態を図面に基づいて説明する。
［構成］
図１は、椅子あるいは枕等を兼用可能なこの発明にかかるマッサージ装置１を概略的に示した斜視図である。
【０００９】
すなわち、このマッサージ装置１は、図３に示したように円形で上面が後側から前側に傾斜する装置本体２と、この装置本体２の全体を覆う布製のカバー３を有する。
【００１０】
そして、図１に示したように、カバー３の上面にクッション４を載置して、このカバー３とクッション４とを結合手段としてのスライドファスナー５で結合することにより、マッサージ装置１は椅子又は枕として使用することができるようになっている。このクッション４は、布製の袋状体にクッション部材を充填したものが用いられるが、発泡成形したクッション部材を袋状のカバーで覆った構成としても良い。
【００１１】
尚、スライドファスナー５は、カバー３の上面周縁に沿って環状に装着された第１のファスナーテープ５ａと、クッション４の下面周縁に沿って環状に装着された第２のファスナーテープ５ａと、ファスナーテープ５ａ，５ｂの結合分離に用いられるスライド（すべり金具）５ｃを有する。また、カバー３とクッション４とを結合する結合手段としては、ベルクロファスナーやホックもしくはボタンあるいは紐等を用いることもできる。要は、カバー３とクッション４とを着脱可能に結合できればよい。
【００１２】
装置本体２は、図４に示したように上面が後側から前側下方に向けて傾斜する円形のケース本体６と、ケース本体６の周面及び上面を覆うクッション部材７を有する。このケース本体６は、有底筒状で上方に開放する下ケース６ａと、後側から前側下方に向けて傾斜する上壁６ｂ１を有し且つ下方に開放する筒状の上ケース６ｂを有する。この上壁６ｂ１は、利用者の首等を無理なく配置できる緩い傾斜となっている。
【００１３】
この上ケース６ｂは、下ケース６ａの上部に図示しないボルト等で着脱可能に取り付けられている。また、クッション部材７は、下ケース６ａの周面を覆う筒状の下クッション７ａと、上ケース６ｂの周面及び上面を覆う上クッション７ｂを有する。このクッション７ａ，７ｂは一体に形成してもよい。
【００１４】
上クッション７ｂは、上ケース６ｂの周面を覆う筒部７ｂ１と、上ケース６ｂの上壁６ｂ１の前側（下部側）を覆うクッション部７ｂ２と、上ケース６ｂの上壁６ｂ１の後側（上部側）を覆うクッション部７ｂ３と、クッション部７ｂ２，７ｂ３の両側部に連設されて上壁６ｂ１の周縁部上面を覆う周縁クッション部７ｂ４，７ｂ４を有する。このクッション部７ｂ２〜７ｂ４間には上壁６ｂ１の中央部を露出させる開口８が形成されている。また、クッション部７ｂ２の左右方向中央部には、利用者の肩を配置するための前後に延びる浅い凹部９が形成されている。上ケース６ｂの上壁６ｂ１には、開口８の左右の部分にそれぞれ臨ませた一対の挿通孔１０，１０が形成されている（図４，図１２参照）。
【００１５】
また、下ケース６ａ内には、左右の部分を挿通孔１０，１０に臨ませたギヤケース（ギヤボックス）１１が取り付けられている。このギヤケース１１の左右方向中央部には、駆動手段としてのモータ１２が図４，図１０の如く固定されている。しかも、ギヤケース１１の左右両端部には図１０〜図１２に示したように上方に突出する回転軸（出力軸）１３，１４が装着されている（図４参照）。
【００１６】
そして、モータ１２の回転は、ギヤケース１１内の左右の部分内にそれぞれ設けた動力伝達手段としての一対のギヤ減速機構（図示せず）により、回転軸１３，１４にそれぞれ伝達されるようになっている。尚、この一対のギヤ減速機構は、回転軸１３，１４を互いに逆方向に回転させるようになっている。すなわち、回転軸１３が正転（時計回り方向への回転）させられるときには回転軸１４が逆転（反時計回り方向への回転）させられ、回転軸１３が逆転（反時計回り方向への回転）させられるときには回転軸１４が正転（時計回り方向への回転）させられるようになっている。
【００１７】
この回転軸１３，１４は挿通孔１０，１０から上ケース６ｂの上壁６ｂ１上に突出させられている。この上壁６ｂ１の上方には、開口８の両側に位置させたベース板（ベースすなわちベース部材）１５，１６が配設されている。このベース板１５，１６は、図３に示したように平面形状が略四角形状に形成されていると共に、断面形状が図７，図８に示したように中空で略直角三角形状に形成されている。
【００１８】
そして、回転軸１３，１４の上端部には、図３，図１３に示したようにベース板（ベース）１５，１６の厚板側の縁部近傍の部分がそれぞれ取り付けられている（図５，図６参照）。このベース板１５，１６は、上壁６ｂ１の上方に僅かの間隔をおいて配設されていると共に、下面が上壁６ｂ１の上面と平行に設けられている（図４参照）。
【００１９】
このベース板１５，１６の薄板側の縁部（回転軸１３，１４の取付部とは反対側の縁部）には、ベース板１５，１６の上面である傾斜面１５ａ，１６ａ上に配設した揉み部材取付用の取付板１７，１８の一端部がヒンジ部１９，２０を介して回動可能に取り付けられている。このヒンジ部１９，２０は、取付板１７，１８の回転軸１３，１４への取付部とは反対側の縁部に位置させられている。
【００２０】
しかも、取付板１７，１８の自由端部の上面には上方に突出する蒲鉾状の揉み部材（施療子、押圧部材）２１，２２が取り付けられている。また、ベース板１５と取付板１７との間及びベース板１６と取付板１８との間には図３，図７，図８に示したようにエアバッグ２３，２４が駆動手段としてそれぞれ介装されている（図４〜図６参照）。このエアバッグ２３，２４も一端部が取付板１７，１８の薄板側の縁部（ヒンジ部１９，２０側縁部）に固定されている。
【００２１】
尚、図示は省略したが取付板１７，１８は、図示しない回動付勢手段でベース板１５，１６側に回動付勢されている。また、上述のように傾斜面１５ａ上にエアバッグ２３，取付板１７を配置し、傾斜面１６ａ上にエアバッグ２４，取付板１８を配置することで、エアバッグ２３，２４を膨張させたときの肩や首の揉み動作を迅速に行うようにすることができる。
【００２２】
また、下ケース６ａ内には、図９に示したようなエア給排気装置２５が装着されている。このエア給排気装置２５は、エア供給源であるエアポンプ２６と、脈流を整流すると共に消音に用いるエアタンク（消音タンク）２７と、第１〜第３のポート（図示せず）を有する三方電磁切換弁２８を有する。このエアポンプ２６のエア吐出口（図示せず）には接続されたエアタンク（消音タンク）２７がエアホース２９を介して接続され、エアタンク２７には三方電磁切換弁２８の第１のポート（図示せず）がエアホース３０を介して接続されている。また、三方電磁切換弁２８の第３のポート（図示せず）はエアホース２８ａ及びエアホース２８ａの開放端を覆う発泡ウレタン（フィルタ）２８ｂを介して下ケース６ａ内に解放され、この三方電磁切換弁２８の第２のポート（図示せず）にはエアホース３１の一端部が接続され、エアホース３１の分岐ホース部３１ａ，３１ｂがエアバッグ２３，２４にそれぞれ接続されている。
【００２３】
尚、発泡ウレタン２８ａは、下ケース６ａの底部に設けられた方形枠２８ｃ内に装着されている。
【００２４】
また、ギヤケース１１の下方側にはエアポンプ１２等の上方を覆うプレートＰが設けられていて、このプレートＰ上に分岐ホース部３１ａ，３１ｂが配設されている。このプレートＰは、ベース板１５，１６が回動して分岐ホース部３１ａ，３１ｂが動くときに、分岐ホース部３１ａ，３１ｂがエアポンプ１２等に引っかかって分岐ホース部３１ａ，３１ｂがエアバッグ２３，２４への接続部等が外れたりするのを未然に防止する様になっている。
【００２５】
さらに、上述したエア給排気装置２５は図１４に示したように制御装置（制御手段、演算制御回路）３２を有する。この制御装置３２は、エアポンプ２６，三方電磁切換弁２８を作動制御するようになっている。また、この制御装置３２は、コード３３を介してリモコン（操作部）３４に接続されている。３５は、制御装置３２に接続された電源コードである。
［作用］
次に、このような構成のマッサージ装置１の作用を説明する。
【００２６】
このような構成では、図１に示したように、カバー３の上面にクッション４を載置して、このカバー３とクッション４とを結合手段としてのスライドファスナー５で結合することにより、マッサージ装置１は椅子又は枕として使用することができるようになっている。
【００２７】
また、マッサージ装置１を使用する場合は、クッション４をマッサージ装置１のカバー３から取り外して図２の状態とする。そして、カバー３上に収納されていたリモコン３４及び電源コード３５をカバー３上から取り出して、電源コード３５のプラグ３５ａを商用電源のコンセント（図示せず）に差し込む。この後、利用者の肩の部分をクッション部７ｂ２の凹部９に対応させてカバー３上に載せると共に、利用者の頭部をクッション部７ｂ３に対応させてカバー３上に載せる。この際、利用者の肩の部分を開口８の下側縁部に臨ませると共に、首の部分を揉み部材２１，２２間に位置させて開口８の中央に臨ませる。
【００２８】
この状態でリモコン３４を操作して制御装置（制御手段、演算制御回路）３２を作動させると、制御装置３２はモータ１２，エアポンプ２６及び三方切替電磁弁２８の作動制御を開始する。
＜回転軸１３，１４等の往復回動制御＞
これによりモータ１２の回転は、ギヤケース１１内の左右の部分内にそれぞれ設けた動力伝達手段としての一対のギヤ減速機構（図示せず）により、回転軸１３，１４にそれぞれ伝達される。この際、一対のギヤ減速機構は、図６に矢印３６Ｌで示したように回転軸１３が正転（時計回り方向への回転）させられるときには、図６に矢印３６Ｒで示したように回転軸１４が逆転（反時計回り方向への回転）させられる。また、図６に矢印３７Ｌで示したように回転軸１３が逆転（反時計回り方向への回転）させられるときには、図６に矢印３７ＲＬで示したように回転軸１４が正転（時計回り方向への回転）させられるようになっている。この様にして、回転軸１３，１４は、所定の範囲［例えば９０°の範囲（９０°より大きくても小さくても良い）］内で互いに反対方向に往復回動制御される。
【００２９】
そして、上述のように回転軸１３が図６の矢印３６Ｌで示したように正転（時計回り方向への回転）させられると共に、回転軸１４が図６の矢印３６Ｒで示したように逆転（反時計回り方向への回転）させられるときには、ベース板１５，取付板１７，揉み部材２１も図６の矢印３８Ｌで示したように回転軸１３と一体に正転（時計回り方向への回転）させられると共に、ベース板１６，取付板１８，揉み部材２２も図６の矢印３８Ｒで示したように回転軸１４と一体に逆転（反時計回り方向への回転）させられる。
【００３０】
一方、回転軸１３が図６の矢印３７Ｌで示したように逆転（反時計回り方向への回転移動）させられると共に、回転軸１４が図６の矢印３７Ｒで示したように正転（時計回り方向への回転移動）させられるときには、ベース板１５，取付板１７，揉み部材２１も図６の矢印３９Ｌで示したように回転軸１３と一体に逆転（反時計回り方向への回転移動）させられると共に、ベース板１６，取付板１８，揉み部材２２も図６の矢印３９Ｒで示したように回転軸１４と一体に正転（時計回り方向への回転移動）させられる。
【００３１】
このように回転軸１３，１４が所定の範囲内で互いに反対方向に往復回動制御されることにより、ベース板１５，１６の薄板側すなわち取付板１７，１８のヒンジ１９，２０側が使用者（利用者）の肩に臨む部分と首に臨む部分のとの間で往復回動させられることになる。
＜揉み動作＞
（エアバッグの膨張）
また、制御装置３２により、エアポンプ２６が作動させられると、エアポンプ２６から吐出されるエアはエアホース２９を介してサージタンクとしてのエアタンク２７内に流入して貯留される。この際、エアポンプ２６から吐出されるエアの脈流が整流されると共に、このエアの流入音が消音されて、エアタンク２７内のエアが蓄圧される。
【００３２】
そして、制御装置３２により三方切替電磁弁２８が作動制御させられて、三方切替電磁弁２８の第１，第２のポート（図示せず）が連通し、エアホース３０，３１が連通させられると、エアポンプ２６からエアはエアタンク２７に流入したエアはエアホース３０，三方電磁切換弁２８及びエアホース３１を介してエアバッグ２３，２４に供給され、エアバッグ２３，２４が図７の状態から図８に示したように膨張させられる。
【００３３】
このエアバッグ２３，２４の膨張に際して、ベース板１５，１６の薄板側すなわち取付板１７，１８のヒンジ１９，２０側が使用者（利用者）の肩に臨んでいれば、取付板１７，１８がヒンジ１９，２０を中心に上方で且つ使用者の肩側に回動させられて、揉み部材２１，２２が取付板１７，１８と一体に使用者の肩に向けて回動進出させられ、揉み部材２１，２２が使用者の肩（マッサージ部位）を指圧するように押圧する。
【００３４】
また、エアバッグ２３，２４の膨張に際して、ベース板１５，１６の薄板側すなわち取付板１７，１８のヒンジ１９，２０側が使用者（利用者）の首に臨んでいれば、取付板１７，１８がヒンジ１９，２０を中心に上方で且つ使用者の肩側に回動させられて、揉み部材２１，２２が取付板１７，１８と一体に使用者の首に向けて回動進出させられ、揉み部材２１，２２が使用者の首（マッサージ部位）を指圧するように押圧する。
【００３５】
尚、エアバッグ２３，２４の膨張に際して、ベース板１５，１６の薄板側すなわち取付板１７，１８のヒンジ１９，２０側が使用者（利用者）の肩と首との間に臨んでいれば、取付板１７，１８がヒンジ１９，２０を中心に上方で且つ使用者の肩側に回動させられて、揉み部材２１，２２が取付板１７，１８と一体に使用者の首に向けて回動進出させられ、揉み部材２１，２２が使用者の肩と首との間（マッサージ部位）を指圧するように押圧する。
（エアバッグの収縮）
一方、制御装置３２により三方切替電磁弁２８が作動制御させられて、三方切替電磁弁２８の第２，第３のポート（図示せず）が連通され、エアホース３１が大気に連通させられると、エアバッグ２３，２４内のエアが大気に放出させられて図８の状態から図７に示したように収縮させられる。
【００３６】
これにより取付板１７，１８がヒンジ１９，２０を中心に使用者の肩や首等のマッサージ部位から離反する方向に回動させられて、揉み部材２１，２２が取付板１７，１８と一体に使用者の肩や首等のマッサージ部位から離反する方向に回動後退させられ、揉み部材２１，２２による使用者の肩や首の等のマッサージ部位の押圧を解除する。
（揉み部材による押圧力の制御）
しかも、制御装置３２は、駆動手段としてのエアバッグ２３，２４へのエアの供給量（給気時間）を制御して、エアバッグ２３，２４の膨張量を変えることで、エアバッグ２３，２４による揉み部材２１，２２のマッサージ部位に対する押圧力を「強」、「中」、「弱」と変化させることができると共に、「強」、「中」、「弱」の押圧力の中でも強弱変化を与えることができるようになっている。以下、この点について詳説する。
【００３７】
ここで、「弱」の場合のエア供給量がＱ１〜Ｑ２（給気時間Ｔ１〜Ｔ２）、「中」の場合のエア供給量がＱ３〜Ｑ４（給気時間Ｔ３〜Ｔ４）、「強」の場合のエア供給量がＱ５〜Ｑ６（給気時間Ｔ５〜Ｔ６）というように、マッサージ時の押圧力「強」、「中」、「弱」のためのエア供給量の各々に所定の範囲があるものとして、エアバッグ２３，２４へのエア供給について次に説明する。尚、エア供給量Ｑ１〜Ｑ６（給気時間Ｔ１〜Ｔ６）は、Ｑ１＜Ｑ２＜Ｑ３＜Ｑ４＜Ｑ５＜Ｑ６（Ｔ１＜Ｔ２＜Ｔ３＜Ｔ４＜Ｔ５＜Ｔ６）の関係となっている。
【００３８】
このような関係において、肩の部分を揉み部材２１，２２で「弱」で押圧する場合、制御装置３２によりエアバッグ２３，２４に供給されるエアの量をエア供給量Ｑ１〜Ｑ２の範囲内で多くして（給気時間をＴ１〜Ｔ２の範囲内で長くして）、「弱」の押圧力の中でも肩の部分を揉み部材２１，２２でより強く押圧できるようにする。また、首の部分を揉み部材２１，２２で「弱」で押圧する場合、制御装置３２によりエアバッグ２３，２４に供給されるエアの量をエア供給量Ｑ１〜Ｑ２の範囲内で肩の場合よりも少なめにして（給気時間Ｔ１〜Ｔ２の範囲内で短くして）、「弱」の押圧力の中でも肩の部分を揉み部材２１，２２で弱く押圧できるようにする。
【００３９】
また、肩の部分を揉み部材２１，２２で「中」で押圧する場合、制御装置３２によりエアバッグ２３，２４に供給されるエアの量をエア供給量Ｑ３〜Ｑ４の範囲内で多くして（給気時間をＴ３〜Ｔ４の範囲内で長くして）、「中」の押圧力の中でも肩の部分を揉み部材２１，２２でより強く押圧できるようにする。また、首の部分を揉み部材２１，２２で「中」で押圧する場合、制御装置３２によりエアバッグ２３，２４に供給されるエアの量をエア供給量Ｑ３〜Ｑ４の範囲内で肩の場合よりも少なめにして（給気時間Ｔ３〜Ｔ４の範囲内で短くして）、「中」の押圧力の中でも肩の部分を揉み部材２１，２２で弱く押圧できるようにする。
【００４０】
さらに、肩の部分を揉み部材２１，２２で「強」で押圧する場合、制御装置３２によりエアバッグ２３，２４に供給されるエアの量をエア供給量Ｑ５〜Ｑ６の範囲内で多くして（給気時間をＴ５〜Ｔ６の範囲内で長くして）、「強」の押圧力の中でも肩の部分を揉み部材２１，２２でより強く押圧できるようにする。また、首の部分を揉み部材２１，２２で「強」で押圧する場合、制御装置３２によりエアバッグ２３，２４に供給されるエアの量をエア供給量Ｑ５〜Ｑ６の範囲内で肩の場合よりも少なめにして（給気時間Ｔ５〜Ｔ６の範囲内で短くして）、「強」の押圧力の中でも肩の部分を揉み部材２１，２２で弱く押圧できるようにする。
【００４１】
以上説明したように、この発明の実施の形態のマッサージ装置１は、装置本体２に移動可能に取り付けられたベース（ベース板１５，１６）と、前記ベース（ベース板１５，１６）を駆動して移動させる駆動手段（モータ１２）と、前記ベース（ベース板１５，１６）に取り付けられたエアバッグ２３，２４と、前記エアバッグ２３，２４に設けられた施療子（揉み部材２１，２２）と、前記エアバッグ２３，２４に対してエアを給排気するエア給排気装置２５、前記駆動手段（モータ１２）及びエア給排気装置２５を作動制御する制御手段（制御装置３２）を備えている。また、この制御手段（制御装置３２）は、前記駆動手段（モータ１２）を作動制御して前記ベース（ベース板１５，１６）を移動させると共に前記エア給排気手段２５を作動制御して前記エアバッグ２３，２４にエアを供給して膨張させることにより、前記施療子（揉み部材２１，２２）を使用者の複数のマッサージ部位（肩や首）のいずれかに押し付けて、マッサージを行わせるようにしている。しかも、このマッサージ装置１の前記制御手段（制御装置３２）は、前記施療子（揉み部材２３，２４）を押し付けるマッサージ部位によって、前記エアバッグへのエアの給気時間を変更制御するようになっている。
【００４２】
この構成によれば、施療部位（マッサージ部位）に応じた押圧力でマッサージを行うことができる。
【００４３】
【発明の効果】
この発明は、以上説明したように構成したので、施療部位に応じた押圧力でマッサージを行うことができる。
【図面の簡単な説明】
【図１】この発明にかかるマッサージ装置にクッションを装着した状態の概略斜視図である。
【図２】図１に示したクッションを取り外した状態のマッサージ装置の斜視図である。
【図３】図２のマッサージ装置のカバーを取り外した状態で、内部の装置本体を示した概略斜視図である。
【図４】図３のヒンジを図６の実線で示したように下側に向けた状態におけるＡ１−Ａ１線に沿う断面図である。
【図５】図３の取付板等の要部拡大平面図である。
【図６】図５の取付板等の回動作用説明図である。
【図７】図３のＡ２−Ａ２線に沿う断面図である。
【図８】図７の作用説明図である。
【図９】図３に示した下ケース内のエアポンプ等の配置説明用の斜視図である。
【図１０】図９の下ケース内にモータ及びギヤケースを装着した状態の斜視図である。
【図１１】図１０の下ケースのモータ上に板状体を配設した斜視図である。
【図１２】図１１の下ケース上に上ケースを装着した状態の斜視図である。
【図１３】図１２の上ケースから突出する回転軸にベース板，取付板，エアバッグ，揉み部材等を取り付けた状態の斜視図である。
【図１４】図１〜図１３マッサージ装置の制御回路図である。
【符号の説明】
１…マッサージ装置
２…装置本体
１５，１６…ベース板（ベース）
１２…モータ（駆動手段）
２３，２４…エアバッグ
２１，２２…揉み部材（施療子）
２５…エア給排気装置
３２…制御装置（制御手段）
【図１】
2004216049.tif 000003
【図２】
2004216049.tif 000004
【図３】
2004216049.tif 000005
【図４】
2004216049.tif 000006
【図５】
2004216049.tif 000007
【図６】
2004216049.tif 000008
【図７】
2004216049.tif 000009
【図８】
2004216049.tif 000010
【図９】
2004216049.tif 000011
【図１０】
2004216049.tif 000012
【図１１】
2004216049.tif 000013
【図１２】
2004216049.tif 000014
【図１３】
2004216049.tif 000015
【図１４】
2004216049.tif 000016